(57)【要約】【課題】整形外科手術における骨きり、あるいは粉砕した骨の締結縫合は、これまではあらかじめ鋼線で目的の孔を作製し、その孔に糸を通し縫合するため煩雑であった。ここでは、骨穿孔用の鋼線の形体を変えることにより骨縫合を容易にする事を課題とする。【解決手段】人工関節の展開のための骨きり後の再逢着や人工関節作業中の大腿骨のひび割れ、あるいは外傷による骨折に対し、これら骨の縫合のために鋼線の先端の骨穿孔部はねじ切りとする。そのねじ切り部以下の末梢は段差を付け細くする。細くした末端に骨縫合用の鋼線あるいは糸をとおす孔を作製する。末梢を細くすることにより、従来の反体側より機械的に鋼線を引き出すための操作が不要で、用手的に可能となる。この骨縫合を容易で短時間におこなうための骨縫合針の開発した。【効果】本願医療器具は、整形外科手術における骨きり後の再逢着や、あるいは破損した骨の骨縫合が容易となり、かつ短時間で可能となる。【選択図】  図１
2004283457.tif 000002
【特許請求の範囲】
【請求項１】
骨きり後の再逢着や、粉砕した骨の縫合で、骨穿孔用鋼線を階段状あるいは滑らかに細くすることにより、縫合糸を容易に通すことを可能にする。
【発明の詳細な説明】
【０００１】
【発明の属する技術分野】
本願発明は、整形外科手術において、骨きり後の再逢着や粉砕した硬組織の縫合で、従来の骨穿孔用鋼線を改良することにより、縫合糸を容易に通すことを可能にする縫合器具に関するものである。
【０００２】
【従来の技術】
人工関節の展開のための骨きり後や、人工関節設置作業中の大腿骨のひび割れ、あるいは外傷による骨折に対し、これまでは骨縫合のためにあらかじめ鋼線針で骨に孔を作製し、その孔に縫合糸を通し縫合するのが通常で、手技は極めて煩雑であった。
【０００３】
【発明が解決しようとする課題】
上記の問題点を考慮して、これら骨の縫合のために鋼線針の先端部をねじ切りとし、そのねじ切り部以下の末梢は細くする。そして、細くした末端に骨縫合用の鋼線あるいは糸をとおす穴を作製し縫合糸をその孔に通す。すなわち、末梢を細くすることにより、従来の反体側より機械的に鋼線針を引き出すための操作が不要で、用手的に可能となる。この骨縫合を容易で短時間におこなうための骨縫合針の開発が最大の目的である。
【０００４】
【課題を解決するための手段】
このような状況下において、本発明者は鋭意研究を行った結果、以下、本発明について詳述する。図１のように従来の鋼線の先端をねじ切りとし、その長さおよび太さ全長はその用途に応じ、各種作製する。まずは、縫合する骨に対し骨縫合針を電動ドリルなどにより穿孔する。そして、先端のねじ切り部が骨を通過すると、末梢部は階段状あるいは、なめらかに細くなっているので、骨縫合針を骨から用手的に抜き取ることができる。骨縫合針の末端には糸を通すための孔を作製し、その孔に糸あるいは締結用鋼線を通し、本発明の骨縫合針を引き出すことにより極めて容易に骨を締結縫合することが出来る。
【０００５】
【発明の実施の形態】
【実施例】
以下に本発明を具体化した一実施例を、第１、２、３図を用いて説明する。
手術方法：図１に示すよう従来の骨穿孔用鋼線の先端をねじ切りとし、その長さおよび太さ全長はその用途に応じ、段差を付けて直径を細く、あるいは滑らかに細くした各種の骨縫合針である。そして、末端部には縫合糸あるいは縫合用鋼線を通すための孔を作成したもので、実施には、図２のように縫合する骨に対し骨縫合針を電動ドリルなどにより穿孔する。そして、図３のように先端のねじ切り部が骨を通過すると、末梢部は階段状あるいは滑らかに細くなっているので、縫合せんとする骨から本発明の骨縫合針を用手的に抜き取り、連結した骨縫合用糸により縫合することが出来る。
【０００６】
【発明の効果】
本願発明の骨縫合針により、骨の締結を容易にし、かつ手術時間の短縮に貢献する。
【図面の簡単な説明】
【図１】骨穿孔用鋼線の先端をねじ切りとし、段差を付けて、あるいは滑らかに細くし、その末端には骨を締結縫合するための糸通し用の孔を持つ。
【図２】縫合する骨に対し骨縫合針を電動ドリルなどにより穿孔する。
【図３】先端のねじ切り部が骨を通過すると、末梢部は階段状あるいは滑らかに細くなっているので、縫合せんとする骨から骨縫合針を用手的に抜き取り、連結した骨縫合用糸により締結縫合する。
【図１】
2004283457.tif 000003
【図２】
2004283457.tif 000004
【図３】
2004283457.tif 000005
【手続補正書】
【提出日】平成15年6月25日(2003.6.25)
【手続補正１】
【補正対象書類名】明細書
【補正対象項目名】全文
【補正方法】変更
【補正の内容】
【特許請求の範囲】
【請求項１】骨の縫合で、孔付き鋼線の引き出しを容易にするために、鋼線を階段状あるいは滑らかに細くし、かつ、抹消部に用手的に切断できる「切れ込み」を作成し、同部で短くする事により縫合糸を容易に通す事を可能にする。
【発明の詳細な説明】
【０００１】
【発明の属する技術分野】
本願発明は、整形外科手術において、骨きり後の再逢着や粉砕した硬組織の縫合で、従来の骨穿孔用鋼線を改良することにより、縫合糸を容易に通すことを可能にする縫合器具に関するものである。
【０００２】
【従来の技術】
人工関節の展開のための骨きり後や、人工関節設置作業中の大腿骨のひび割れ、あるいは外傷による骨折に対し、これまでは骨縫合のためにあらかじめ鋼線針で骨に孔を作製し、その孔に縫合糸を通し縫合するのが通常で、手技は極めて煩雑であった。
【０００３】
【発明が解決しようとする課題】
上記の問題点を考慮して、これら骨の縫合のために鋼線針の先端部をねじ切りとし、そのねじ切り部以下の末梢は細くする。そして、細くした末端に骨縫合用の鋼線あるいは糸をとおす穴を作製し縫合糸をその孔に通す。すなわち、末梢を細くすることにより、従来の反体側より機械的に鋼線針を引き出すための操作が不要で、用手的に可能となる。かつ、縫合用鋼線をより引き出しやすくするために、抹消部に用手的に切断できる「切れ込み」を作成し、同部で切断し短くする。これにより縫合糸を容易に通す事を可能にする。このように、骨縫合を容易で短時間におこなうための骨縫合針の開発が最大の目的である。
【０００４】
【課題を解決するための手段】
このような状況下において、本発明者は鋭意研究を行った結果、以下、本発明について詳述する。図１のように従来の鋼線の先端をねじ切りとし、その長さおよび太さ全長はその用途に応じ、各種作製する。まずは、縫合する骨に対し骨縫合針を電動ドリルなどにより穿孔する。そして、先端のねじ切り部が骨を通過すると、末梢部は階段状あるいは、なめらかに細くなっているので、骨縫合針を骨から用手的に抜き取ることができる。骨縫合針の末端には糸を通すための孔を作製し、その孔に糸あるいは締結用鋼線を通し、本発明の骨縫合針を引き出すことにより極めて容易に骨を締結縫合する。また、縫合用鋼線をより引き出しやすくするために、抹消部には短くするための用手的に切断できる「切れ込み」を作成する。
【００５】
【発明の実施の形態】
【実施例】
以下に本発明を具体化した一実施例を、第１、２、３図を用いて説明する。
手術方法：図１に示すように従来の骨穿孔用鋼線の先端をねじ切りとし、その長さおよび太さ全長はその用途に応じ、段差を付けて直径を細く、あるいは滑らかに細くした各種の骨縫合針である。そして、末端部には縫合糸あるいは縫合用鋼線を通すための孔を作成し、縫合針の引き出しをより容易にするため、用手的に切断出来るように全週性に「切れ込み溝」を作成し、短くする事が出来る。実施には、図２のように縫合する骨に対し骨縫合針を電動ドリルなどにより穿孔する。そして、図３のように先端のねじ切り部が骨を通過すると、末梢部は階段状あるいは滑らかに細くなっているので、縫合せんとする骨から本発明の骨縫合針を用手的に抜き取り、その際、鋼線の引き出しをより容易にするために抹消部に用手的に切断できる「切れ込み溝」を作成し、同部で短くし、連結した骨縫合用糸を引き出す。
【００６】
【発明の効果】
本願発明の骨縫合針により、骨の締結を容易にし、かつ手術時間の短縮に貢献する。
【図面の簡単な説明】
【図１】骨穿孔用鋼線の先端をねじ切りとし、段差を付ける、あるいは滑らかに細くし、その抹消には骨を締結縫合するための糸通し用の孔を持つ。なお、抜き取りを容易にするために、より抹消部には術中に鋼線を短くするための全周性に「切れ込み溝」を作成する。
【図２】縫合する骨に対し骨縫合針を電動ドリルなどにより穿孔する。
【図３】先端のねじ切り部が骨を通過すると、末梢部は階段状あるいは滑らかに細くなっているので、縫合せんとする骨から骨縫合針を用手的に抜き取り、連結した骨縫合用糸により締結縫合する。その際、縫合針の引き出しを容易にするため、「切れ込み溝」で用手的に切断し引き出す。


【手続補正２】
【補正対象書類名】図面
【補正対象項目名】全図
【補正方法】変更
【補正の内容】
【図１】
2004283457.tif 000006
【図２】
2004283457.tif 000007
【図３】
2004283457.tif 000008